(57)【特許請求の範囲】
【請求項１】
部屋の間仕切りに用いる板状体の取り付け構造において、板状体が透明な防耐火パネルであり、断面形がＴ字形のＴ字型金具を２個用い、該Ｔ字型金具を床と天井面で固定し、該２個のＴ字型金具をＨ字になるように向かい合わせ、Ｔ字型金具を向かい合わせることによって形成される溝に難燃性あるいは不燃性のバックアップ材を介して、防耐火パネルの端部を両側から該Ｔ字型金具で挟持することを特徴とする防耐火の性能を有する間仕切りに用いる板状体の取り付け構造。
【請求項２】
Ｔ字型金具が、空気層あるいは断熱材を介して隔てられていることを特徴とする請求項１に記載の板状体の取り付け構造。
【請求項３】
Ｔ字型金具の板状体と平行になる室内側の部分が、中空構造であることを特徴とする請求項１または請求項２に記載の板状体の取り付け構造。
【請求項４】
Ｔ字型金具の断面形において、板状体と平行になる室内側の部分の中央部が他の部分より厚いことを特徴とする請求項１乃至請求項３に記載の板状体の取り付け構造。
【発明の詳細な説明】
【０００１】
【発明の属する技術分野】
本発明は、事務所あるいは展示に供される、比較的広い床面積を有する建物において、小部屋に仕切るために用いられる間仕切りに関し、特に透明な防耐火パネルを用いる防耐火の性能を有する間仕切りに関する。
【０００２】
【従来の技術】
広い部屋を小さく区切って使用する場合、建物の一部の壁を形成することは、部屋の広さを変更できないので、そのような壁を建設時に形成せずに、使用者の要求に合わせて部屋の広さを変えることが可能な間仕切りが用いられる。
【０００３】
間仕切りは、不透明あるいは透明な板状体がもちいられる。広く区切られた部屋を、使用者の要求によってさらに狭く仕切る場合、不透明な板状体は、閉塞感が強いので、開放感を持たせるために透明な間仕切りが好まれる。
【０００４】
間仕切りが不透明か透明かに係わらず、防災上の理由により、間仕切りが防耐火の性能を有する方がよく、法的に防耐火の間仕切りにしなければならない場合もある。
【０００５】
間仕切りは、その両側を室内空間として使用できるようにするため、間仕切りに使用する板状体は、突き合わせる構造で用いる方がよい。
【０００６】
さらに、間仕切りに透明な板状体を用いて開放的な空間を実現するために、間仕切りに用いられる透明な板状体は、枠などを用いずに、床面から天井面までの間に、板状体と板状体を突き合わせる構造で、用いることが好まれていた。
【０００７】
このような板状体を突き合わせて支持する構造は、建物の外壁などに広く用いられる構造である。板状体を突き合わせて外壁に用いる場合、例えば、図１０に示すように、建物の構造部材に支持された方立２３により、板ガラス２６が方立てのＴ字部２３ｂと下地骨材部２３ａの間にシーリング材２４によって支持される。このような外壁に用いられている、板状体を突き合わせて用いる支持構造は、かなり重量のある板状体をも支持できるが、方立ての下地骨材部２３ａが室内に突出するため、外壁においてはそれほど問題とならなかった２３ａの部分が大変不具合なものとなってしまう。
【０００８】
このため、防耐火パネルを間仕切りに供する場合、図１１の水平断面図に示す様に、下地骨材４を防耐火パネル３、３の端部間に配置し、難燃性バックアップ材５、不燃性バックアップ材６および耐火断熱材７を介して押さえ板１０をネジ８で下地骨材４に固定するようにして、防耐火パネル３を支持していた。
【０００９】
さらに、押さえ板１０とネジ８は見栄えが悪いため、ギャップ保持部材９を設けて、化粧板１１で覆うようにしていた。
【００１０】
【発明が解決しようとする課題】
前述した防耐火パネルを間仕切りに用いるための構造は、室内への突出部分を小さくするために下地骨材に太いものが使いづらく、大面積の防耐火パネルを支持でするのに充分な強度を持たせることが困難であるとともに、金具、ねじ止め、押さえ板や化粧板等を用いるなど、部材の種類および工数が多いという問題があった。
【００１１】
【課題を解決するための手段】
本発明の板状体の取り付け構造は、部屋の間仕切りに用いる板状体の取り付け構造において、板状体が透明な防耐火パネルであり、断面形がＴ字形のＴ字型金具を２個用い、該Ｔ字型金具を床と天井面で固定し、該２個のＴ字型金具をＨ字になるように向かい合わせ、Ｔ字型金具を向かい合わせることによって形成される溝に難燃性あるいは不燃性のバックアップ材を介して、防耐火パネルの端部を両側から該Ｔ字型金具で挟持することを特徴とする防耐火の性能を有する間仕切りに用いる板状体の取り付け構造である。
【００１２】
また、前述の間仕切り用板状体の取り付け構造において、Ｔ字型金具が、空気層あるいは不燃性の断熱材を介して隔てられ、また、Ｔ字型金具の防耐火パネルと平行になる室内側部分が、中空構造あるいは中央部を厚くしていることを特徴とする板状体の取り付け構造である。
【００１３】
【発明の実施の形態】
本発明の間仕切りの構造は、透明な防耐火パネルを間仕切りとして用いるものである。防耐火パネルとは、網入りガラス、強化ガラスあるいはゲル入り防火ガラスなど、甲種防火戸あるいは乙種防火戸に用いられる板ガラス類および板ガラスの応用品である。
【００１４】
前述の透明な防耐火パネルを用いた間仕切りは、透明であるため、間仕切りによって狭められた空間に、開放感を付与するとともに、火災時の延焼を防ぐものである。
【００１５】
防耐火パネルは、２個のＴ字型金具をＨ字になるように向かい合わせ、形成される溝にバックアップ材を介して端部が挟持される。
【００１６】
Ｔ字型金具は、ステンレス鋼、鉄などの金属やセラミックス材料で作製され、その断面形状により、曲げ剛性が大きく、防耐火パネルがたわむことを防ぎ、軽量化しても、防耐火パネルを支持するの充分な強度を有することができる。断面形状は、防耐火パネルの大きさに対して、支持するのに充分な曲げ剛性を有するように、材料力学などの手段によるシミュレーションや、曲げ試験などを行って決定することが好ましい。また、Ｔ字型金具の室内側に配置される部分は、中央部を厚くしたり、中空構造にするなどして、曲げ剛性を高めると共に、意匠性を持たせることもできる。さらに、Ｔ字型金具の室内側に配置される面を鏡面仕上げや塗装など行い、見栄えを良くすることが望ましい。
【００１７】
防耐火パネルの端部の間に挿入されるＴ字型金具の部分は、不燃性の断熱材や空気層で切り離された状態にして防耐火パネルを支持する。Ｔ字型金具が、空気層あるいは断熱材で切り離された状態は、火災時にＴ字型金具での熱の伝達を小さくし、延焼していない区画の温度上昇を抑え、避難が容易になると共に、可燃物の発火を押さえるなどの延焼を遅らせる効果もあるので、好ましい。このことは、含水ゲル入り防火ガラスなどの遮熱効果を有する防火ガラスを用いる場合は、特に効果的である。断熱材には、セラミック短繊維、セラミックファイバ、ロックウール、石膏ボードなどの不燃性材料を用いることが望ましい。
【００１８】
Ｔ字型金具は、床面と天井面に固定される。固定は、床面や天井面に形成した溝にＴ字型金具を嵌め込んだり、あるいは、ステンレス鋼、鉄などの金属製の固定金具を用いて行う。
【００１９】
バックアップ材は、不燃性あるいは断熱性のバックアップ材を用いる。
【００２０】
不燃性バックアップ材としては、火炎が貫通することを防ぐ必要があり、Ｔ字型金具の間で、防耐火パネルの端面が接する位置に用い、セラミックファイバ、セラミック短繊維、ロックウールなどが使用できる。
【００２１】
難燃性バックアップ材は、防耐火パネルとＴ字型金具の面クリアランスを保つために使用し、難燃性シーリング材が使用できる。
【００２２】
本発明の板状体の取り付け構造は、防耐火パネルを対象としたものであるが、防耐火パネル以外の、板ガラス、プラスティック板、金属板、木製の板など、透明・不透明の板状体を間仕切りに使用するときに、該板状体の取り付けに使用できる構造である。
【００２３】
【実施例】
以下、図面を参照しながら本発明を詳細に説明する。
【００２４】
実施例１
図１は、本発明の実施例の側面図である。防耐火パネル３をＴ字型金具１３で、天井１と床２との間に挟持したものである。図２は、図１のａ−ａ’断面を示したもので、Ｔ字型金具１３で防耐火パネル３を支持している部分の水平断面図である。
【００２５】
防耐火パネル３は、面クリアランスを保たせる不燃性シーリング材１２と難燃性バックアップ材１６を用いて、Ｔ字型金具１３で挟持した。Ｔ字型金具１３は、厚みが４ｍｍのステンレス鋼板で作製した。防耐火パネル３には甲種防火戸に用いられる、厚み２０ｍｍの含水ゲル入り防火ガラス（セントラル硝子製フーゴレックス）を使用した。不燃性のシーリング材１２にはシリコーン系のシーリング材を用い、断熱性バックアップ材１６にセラミックファイバを用いた。また、Ｔ字型金具１３、１３の間には空気層１４を設けた。
【００２６】
図３、図４は、それぞれ図２のｄ−ｄ’での、天井付近の鉛直断面と床付近の鉛直断面を示したものであり、Ｔ型金具１３は、天井１と床２に穿った溝に矢印２９で示すように、嵌め込み、固定した。また防耐火パネルの端面と天井面あるいは床面との間には、セラミックファイバを不燃性のバックアップ材１６として充填した。なお、防耐火パネルの下端面と床面との間には石膏ボードをセッティングブロック（図示せず）として、適当な位置に設置した。なお、図５は、図１のｃ−ｃ’断面の床付近を示したものであり、同図に示すように、Ｔ字型金具のパネルに平行になる部分２８のみを床に嵌め込んで、Ｔ字型金具を固定した。
【００２７】
図６は、本実施例の図１ｂ−ｂ’断面図の床付近を示したものである。防耐火パネルは図示しないセッティングブロック上に置かれ、防耐火パネル端面と床面との間に不燃材のセラミックファイバ１９を挿入し、さらに、ネジ２０で床に固定した断面がＬ字形の金具１７に、シリコーン系の不燃性シーリング材を用いて、防耐火パネル３を接着した。防耐火パネル３の天井面側についても、図６と同様にした。
【００２８】
実施例２
防耐火パネルと平行になるＴ字型金具の部分を中空にし、床にピンでＬ字型金具を固定した以外は、実施例１と同様にした。
【００２９】
図７は、本実施例のＴ字型金具で防耐火パネルを支持した部分の、水平断面図であり、Ｔ字型金具１５は中空にしたＴ字型金具である。
【００３０】
また、図８は、本実施例の床付近の断面図であり、Ｌ字型金具１７は、ピン２０で床に固定した。
【００３１】
実施例３
本実施例における、Ｔ字型金具での支持部分の水平断面図（図１のａ−ａ’断面図）を図９に示す。本実施例のＴ字型金具１３′は、防耐火パネル３と平行となる部分において、中央部を厚くしたものである。さらに防耐火パネルに乙種防火戸に用いられる厚み６．８ｍｍの網入り板ガラスを用いた。その他は、実施例１と同様にした。
【００３２】
実施例４
防耐火パネル３に、実施例１と同様の含水ゲル入り防火ガラスを用いた他は実施例３と同様にした。
【００３３】
実施例１、実施例２、実施例３および実施例４に対し、建設省告示第１１２５号の防火試験を実施した。実施例１、実施例２および実施例４は甲種防火戸の性能を有することを、また実施例３は乙種防火戸の性能でを有することを確認した。
【００３４】
【発明の効果】
本発明の防耐火パネルを用いる間仕切り構造は、充分な耐火性のある、簡便な構造の間仕切りの提供を可能にした。
【図面の簡単な説明】
【図１】本発明の間仕切りの側面図。
【図２】実施例１の防耐火パネルを突き合わせた部分の水平断面図。
【図３】Ｔ字型金具で防耐火パネルを挟持している部分の、天井付近の鉛直断面図。
【図４】Ｔ字型金具で防耐火パネルを挟持している部分の、床付近の鉛直断面図。
【図５】実施例１の、Ｔ字型金具が防耐火パネルの間に突き出ている部分の、床付近の鉛直断面図。
【図６】実施例１の床付近の構造を示す垂直断面図。
【図７】実施例２の防耐火パネルを突き合わせた部分の水平断面図。
【図８】実施例２の床付近の構造を示す垂直断面図。
【図９】実施例３の防耐火パネルを突き合わせた部分の水平断面図。
【図１０】建物外壁の板ガラスの突き合わせ構造を示す水平断面図。
【図１１】従来技術による防耐火パネル間仕切りの、防耐火パネル突き合わせ部分の水平断面図。
【符号の説明】
１    天井
２    床
３    防耐火パネル
４    下地骨材
５    難燃性バックアップ材
６    不燃性バックアップ材
７    耐火断熱材
８    ネジ
９    金具
１０  押さえ板
１１  化粧板
１２  難燃性バックアップ材
１３  Ｔ字型金具
１４  空気層
１５  中空構造のＴ字型金具
１６  不燃性バックアップ材
１７  Ｌ字型金具
１８  固定ネジ
１９  セッティングブロック
２０  固定ピン
２１  不燃性バックアップ材
２２  固定ピン差込孔
２３  方立てのＴ字部
２４  シーリング材
２５  板ガラス
【図１】
0003791670.tif 000002
【図２】
0003791670.tif 000003
【図３】
0003791670.tif 000004
【図４】
0003791670.tif 000005
【図５】
0003791670.tif 000006
【図６】
0003791670.tif 000007
【図７】
0003791670.tif 000008
【図８】
0003791670.tif 000009
【図９】
0003791670.tif 000010
【図１０】
0003791670.tif 000011
【図１１】
0003791670.tif 000012